(57)【要約】【課題】【解決手段】バルブアセンブリは、本体と回止め具を有する取り外し可能な出口具アダプタを具え、回止め具は取り付け及び／又は取り外し時に取り外し可能な出口具アダプタの回転及び側方への動きを規制する。回止め具は、取り外し可能な出口具アダプタ上の第１要素及びバルブ本体上の第２要素を具える。【選択図】図１
2009513912.tif 000002
【特許請求の範囲】
【請求項１】
バルブアセンブリであって、
内部通路、出口具ランデイング、容器結合部を有するバルブ本体を具え、
バルブ本体の通路は、出口具ランデイングと容器結合部の間を延び、
バルブ部材を具え、該バルブ部材は、通路から流れる流体をバルブ部材が阻止しない開位置と、通路から流れる流体をバルブ部材が阻止する閉位置との間を動くように構成され、
バルブ本体に繋がり、バルブ部材を動かすように構成された作動器具を具え、
出口具ランデイングは、略平坦な面とカラーを含み、カラーは平坦な面を取り囲み、カラーは更にネジ面を含み、
保持リングと内部通路を有する長く延びた本体を有する出口具アダプタを具え、該本体はバルブ係合部と出口端部を有し、
保持リングはネジを有し、外部ネジはカラーのネジ面に係合するように構成されており、
出口具アダプタ本体上に第１要素、バルブ本体上に第２要素を有する回止め具を具え、
出口具アダプタ本体の出口端部は、保持リングを通って延びる大きさであり、
出口具アダプタは、バルブ係合部をランディングの面に対向させた状態で、出口具ランデイングに結合し、保持リングは出口端部の周りに配備され、保持リングはカラーに連結され、回止め具は出口具アダプタが取り付けられた際に、出口具アダプタの回転を阻止するように構成されたバルブアセンブリ。
【請求項２】
回止め具の第１要素は、出口具アダプタ本体から延びる一対のピンを含み、回止め具の第２要素は、ランデイングの表面に一対のピン用開口を有し、
ピンは、アダプタ本体がカラー内に配備されたときに、一対のピン用開口内に延びるように位置する、請求項１のバルブアセンブリ。
【請求項３】
保持リングは、出口具アダプタ本体のバルブ係合部に係合するように構成された内向きに延びるフランジを有する、請求項２のバルブアセンブリ。
【請求項４】
出口具アダプタ本体の出口端部は、略円筒状である、請求項２のバルブアセンブリ。
【請求項５】
出口具アダプタはガスケットを含み、該ガスケットは円環状に形作られた本体を有し、該本体は出口具アダプタの内部通路の周りであって、且つアダプタ本体のバルブ係合部とランデイングの平坦面との間に配備された、請求項２のバルブアセンブリ。
【請求項６】
出口具アダプタ本体は、ガスケットを捕捉するように構成された凹部を有する、請求項５のバルブアセンブリ。
【請求項７】
平坦面は、ランデイングの表面にてバルブ本体の内部通路を囲む突部を有し、突部はガスケットに係合するように構成された、請求項５のバルブアセンブリ。
【請求項８】
回止め具の第１要素は、非円筒状の断面形状を有するアダプタ本体のバルブ係合部を有し、
回止め具の第２要素は、ランデイングの表面にて穴を有し、該穴は回止め具の第１要素に対応した非円筒状の断面形状を有する、請求項１のバルブアセンブリ。
【請求項９】
保持リングは、出口具アダプタ本体のバルブ係合部に係合するように構成された内向きに延びるフランジを含む、請求項８のバルブアセンブリ。
【請求項１０】
出口具アダプタ本体の出口端部は略円筒状である、請求項８のバルブアセンブリ。
【請求項１１】
出口具アダプタはガスケットを含み、該ガスケットは円環状に形作られた本体を有し、該本体は出口具アダプタの内部通路の周り、且つアダプタ本体のバルブ係合部とランデイングの平坦面との間に配備された、請求項８のバルブアセンブリ。
【請求項１２】
出口具アダプタ本体は、ガスケットを捕捉するように構成された凹部を有する、請求項１１のバルブアセンブリ。
【請求項１３】
ランデイングの平坦面は、ランデイングの表面にてバルブ本体の通路を囲む突部を有し、該突部はガスケットに係合するように構成された、請求項１１のバルブアセンブリ。
【請求項１４】
回止め具の第１要素は、アダプタ本体のバルブ係合部全体である、請求項８のバルブアセンブリ。
【請求項１５】
回止め具の第１要素は、アダプタアセンブリ本体のバルブ係合部から軸方向に突出している、請求項８のバルブアセンブリ。
【請求項１６】
保持リングは、保持リングの回転を略阻止するように構成されたロック器具を有する、請求項１のバルブアセンブリ。
【請求項１７】
アダプタ本体は、位置決めネジ用の開口を有し、ロック器具は位置決めネジである、請求項１６のバルブアセンブリ。
【発明の詳細な説明】
【技術分野】
【０００１】
発明の分野
本願はバルブアセンブリに関し、特に取り外し可能な出口具アセンブリを含むバルブアセンブリに関し、該取り外し可能な出口具アセンブリは回止め具を含む。
【背景技術】
【０００２】
発明の背景
圧縮ガス容器用のバルブアセンブリは一般には、入口から出口まで延びる内部通路を有するバルブ本体を含んでいる。外部アクチュエーターに繋がったバルブ部材が、通路内に配置される。バルブ部材は、通路から流れる流体をバルブ部材が阻止しない開位置と、通路から流れる流体をバルブ部材が阻止する閉位置との間を動くように構成される。
出口具、そしてしばしば入口具は一般的に、１又は２以上のシールと、その他にネジ面を有するカラーを含んでいる。バルブアセンブリは圧縮ガス、液化ガス又は低温液体用の容器の入口具に繋がれる。一般に、容器がバルブアセンブリを通じて満たされるので、バルブアセンブリを容器に半永久的に取り付けることは珍しいことではない。
【０００３】
一方、出口具はレギュレータ、マニホールドシステム、アキュムレータ、可撓性のコネクタ、又はバルーンインフレータのような器具を使用するのに連結されるが、器具はこれらに限定されない。
容器を再充填するためには、使用器具は取り外さなければならないから、使用器具の頻繁な結合／取り外しによって、出口具は更に摩耗及び裂化を受ける。そのような摩耗及び裂化は、出口具のネジ、シール又は他の表面の激しく又は表面的な損傷を生じさせる。出口具が損傷すると、バルブアセンブリ全体を交換しなければならない。これはバルブアセンブリの入口具及び他の要素がまだ十分に機能するかもしれないから、不利である。
或いは、バルブアセンブリの出口具は、損傷に関係のない理由から交換が必要とされることがある。例えば、或る種のバルブアセンブリは、特定の器具に連結されるように構成されている。不適切な器具がバルブアセンブリに連結されないことを確実にすべく、出口具は、例えば通常でない直径又はネジピッチの如く、変わった形を有している。
バルブアセンブリはまた、容器内に格納される流体の種類について、特定の出口構造を有する。そのようなバルブアセンブリに連結された容器を異なる目的に使用せねばならないときは、バルブアセンブリ全体が取り外され交換されなければならない。上記の如く、結合及び取り外しは損傷に繋がり、この例では入口具及びおそらくは容器の損傷に繋がる。
【０００４】
容器が損傷する危険を減らし、及び／又は損傷した出口具をバルブアセンブリと交換するコストを減じるために、又は異なる構成の出口具が要求されるときには、取外し可能な出口具アダプタを具えたバルブアセンブリが製造される。これらのバルブアセンブリは、ネジ付きの大径のカラーで囲まれる略平坦な表面を具えるランデイングを有する。保持リングがランデイングのカラーネジに係合するように構成された。
このようにして、第１バルブ端部と第２バルブ端部を有する本体を具えた取り外し可能な出口具アダプタが、バルブアセンブリに取り外し可能に連結される。出口具アダプタの出口端部は、従来技術のバルブアセンブリの出口具の寸法に合うように構成された。従って、使用者が出口具を交換することが必要なときは、保持リングが取り外され、新たな取り外し可能な出口具アダプタが取り付けられた。
【０００５】
従来技術の取り外し可能な出口具アダプタの不利な点は、取り外し可能な出口具アダプタは自由に回転し、取り付け時に側方に動くことであった。そのような回転及び側方への動きは、取り外し可能な出口具アダプタ、ランディング表面、及び／又はアダプタ／バルブインターフェイスに配置されたあらゆるシールの何れか又は両方の損傷に繋がる。
従って、回転し難く、及び／又は取り付け時及び取り外し時に動きにくい取り外し可能な出口具アダプタへのニーズがある。
更に、バルブアセンブリ本体に係合するように構成された延長部を有し、該延長部は出口具アダプタの回転を減じるように構成された取り外し可能な出口具アダプタを求めるニーズがある。
【発明の開示】
【０００６】
発明の要約
本発明は、取り付け時及び／又は取り外し時に、回転可能な出口具アダプタの回転及び動きを阻止するように構成された回止め具を具えた、取り外し可能な出口具アダプタを有するバルブアセンブリを提供する。バルブアセンブリは、ネジ付きのカラーによって取り囲まれる略平坦面を有する略平坦なランデイングを有する本体を具える。取り外し可能な出口具アダプタは、使用器具に係合するように構成された出口端部を有する長く延びた本体を含む。
一実施例に於いて、出口端部と反対側の端部であるバルブ係合部は、ランデイング表面に係合するように構成された略平坦な表面を有する。回止め具は、取り外し可能な出口具アダプタの本体上の第１要素、及びバルブアセンブリの本体上の第２要素を含む。例えば、回止め具は、回止め具の本体の長軸に対し、平行に延びる２本の離れたピン、及びバルブアセンブリ本体上の２つの離れたピン用開口を含む。ピンは、ピン用開口に係合するように構成される。このようにして、取り付け時に、取り外し可能な出口具アダプタは、ピン用開口に配備されたピンによって、回転を阻止する。
【０００７】
或いは、取り外し可能な出口具アダプタは非円形の外形を有し、ランデイングの表面は対応する形状を具えた穴を有してもよい。即ち、取り外し可能な出口具アダプタは、第１端部に出口端部を、第２端部にバルブ係合部を具える。出口端部は、略円筒状であって、使用器具に係合するように構成されたネジを含む。
バルブ係合部は、四角形又は六角形のような非円形の外形を有するが、形はこれらに限定されない。バルブアセンブリのランデイングは、四角形又は六角形の穴を有する。このようにして、取り外し可能な出口具アダプタバルブの係合部が、バルブアセンブリのランデイングの穴に配備されたとき、取り外し可能な出口具アダプタは、ランデイング表面に対する回転又は側方への動きを略規制される。
【発明を実施するための最良の形態】
【０００８】
発明の詳細な記載
ここで用いられるように、「上方」及び「下方」のような方向の用語は、図に示すようにアセンブリに関し、請求の範囲を限定しない。
バルブアセンブリ(10)は、容器結合部(14)、ランデイング(16)、及び内部通路(18)を有する長く延びたバルブ本体(12)を具える。内部通路(18)は、容器結合部(14)及びランデイング(16)間を延びる。容器結合部(14)は、容器(９)と結合するように構成されたネジ付き端部(15)であるのが好ましい。バルブアセンブリ(10)はまた、内部通路(18)及びに配備された移動可能なバルブ部材(20)及び作動器具(22)を含む。作動器具(22)は、バルブ部材(20)が内部通路(18)から流れる流体を阻止しない開位置と、バルブ部材(20)が内部通路(18)から流れる流体を阻止する閉位置との間を動くように構成される。一般に、容器結合部(14)は、バルブ本体(12)の下端部に位置し、作動器具(22)は、バルブ本体(12)の上端部に位置する。ランデイング(16)はバルブ本体(12)の側部に配備される。内部通路(18)は、容器結合部(14)にてバルブ本体(12)の軸に略沿って延び、ランデイング(16)に略直交する。従って、内部通路(18)は直角に沿って延びているのが好ましい。
【０００９】
ランデイング(16)は、略平坦な表面(30)及び略円形のカラー(32)を含む。表面(30)は、バルブ本体(12)の長軸に略平行な面内で延びる。カラー(32)は表面(30)を囲む。カラー(32)はネジ付き表面(34)を含む。図１に示すように、ネジ付き表面(34)はカラー(32)の内面であり、または図４に示すように、ネジ付き表面(34)はカラー(32)の外側面であり得る。内部通路(18)は表面(30)に略垂直に延び、表面(30)の中心位置に配備される。
バルブアセンブリ(10)は更に、取り外し可能な出口具アダプタ(40)を含む。取り外し可能な出口具アダプタ(40)は、内部通路(43)、使用器具に係合するように構成された出口端部(44)、及びバルブ係合部(46)を具えた長く延びた本体(42)を含む。出口具アダプタ通路(43)は、出口端部(44)からバルブ係合部(46)に延びる。
バルブ係合部(46)は、出口具アダプタ本体(42)の長軸に略垂直な面内を延びる略平坦な面(47)を有する。バルブ係合部(46)は、出口端部(44)よりも大きな断面を有する。出口端部(44)とバルブ係合部(46)の間の断面の増加は、外側表面(45)を有するフランジがあるように１度(single step)で生じるのが好ましい。出口具アダプタ(40)は更に、保持リング(48)を含む。保持リング(48)は以下に記載するように、ランデイングカラー(32)のネジ付き表面(34)に係合するように構成されるネジ(49)を含む。保持リング(48)は任意の適切な断面形状を有する。
例えば、図１及び図２に示すように、保持リング(48A)は、外部ネジ(49A)を有する矩形状の縁及び内部フランジ(50)である。図３に示すように、保持リング(48B)は、外部ネジ(49B)を有する矩形状の縁であり、更なる構成を持たない。図４に示すように、保持リング(48C)は、内面である中間面(52)にネジ(49C)を有するＵ字状の縁である。
【００１０】
第１の要素(62)と第２の要素(64)を有する回止め具(60)は、取り付け及び取り外し時に、取り外し可能な出口具アダプタ(40)が回転し又は移動することを略防ぐように構成されている。第１の要素(62)は、出口具アダプタアセンブリ本体(42)上に配備され、第２の要素(64)は、バルブ本体(12)上に配備されている。図１に示す実施例に於いて、第１の要素(62A)は、出口具アダプタ本体(42)から延びる少なくとも１本、好ましくは２本のピン(66)を含む。ピン(66)は表面(47)から、出口具アダプタ本体(42)の長軸に略平行な方向に延びるのが好ましい。第２の要素(64A)は、ランデイングの表面(30)に配備された多くのピン用開口(68)を含む。ピン用開口(68)は、ピン(66)に対応し、及びピン(66)と協働する。
ピン(66)は、出口具アダプタ(40)がランデイング(16)に連結されたとき、ピン用開口(68)に係合するように構成される。即ち、出口具アダプタ面(47)がランデイングの表面(30)に平行に置かれ、隣接したときは、ピン(66)はピン用開口(68)に配備される。更に、本実施例に於いて、出口端部(44)及びバルブ係合部(46)の両方が略円筒状である。保持リング(48A)がランデイングのカラーネジ付き表面(34)に係合するように置かれたとき、ランデイングのカラーネジ付き表面(34)はカラー(32)の内面に位置し、保持リング(48A)の回転動作は、回止め具(60A)により、出口具アダプタ(40)に回転動作を伝えない(impart)。更に、保持リングの内部フランジ(50)はバルブ係合部(46)の外側表面(45)に係合するように構成される。
出口具アダプタ(40)が取り付けられたとき、出口具アダプタの内部通路(43)は、バルブ本体の内部通路(18)と流体が行来可能に繋がる。
【００１１】
図３に示す他の実施例に於いて、回止め具(60B)の第１の要素(62B)は、非円形の断面形状を有する出口端部(44)である。出口端部(44)は四角形又は六角形であるのが好ましい。回止め具(60B)の第２の要素(64)は、ランデイングの表面(30)の穴(70)である。穴は出口端部(44)の断面形状に対応する大きさである。本実施例に於いて、カラーのネジ付き表面(34)は再度、カラー(32)の内面に位置する。
保持リング(48B)は厚みが増しており、保持リング(48B)が取り付けられると、保持リング(48B)の一部がバルブ係合部(46)の外面(45)に接する。前記の如く、出口具アダプタ(40)が取り付けられると、出口具アダプタの内部通路(43)はバルブ本体の内部通路(18)と流体が行来可能に繋がる。
【００１２】
他の実施例に於いて、図４に示すように、回止め具(60C)の第１の要素(62C)は、出口端部(44)から長手方向に突出した延長部(80)である。延長部(80)は、非円形の断面形状を有する。延長部(80)は四角形又は六角形であるのが好ましい(図示の如く)。延長部(80)は、バルブ係合部(46)よりも小さな断面を有する。バルブ係合部(46)は、略円筒状の断面形状を有する。回止め具(60C)の第２の要素(64C)は、ランデイングの表面(30)の穴(70)である。穴(70)は延長部(80)の断面形状に対応する大きさである。
本実施例に於いて、カラーのネジ付き表面(34)は、カラー(32)の外面(45)に位置する。保持リング(48C)が取り付けられると、保持リング(48C)の一部がバルブ係合部(46)の外面(45)に接する。前記の如く、出口具アダプタ(40)が取り付けられると、出口具アダプタの内部通路(43)はバルブ本体の内部通路(18)と流体が行来可能に繋がる。
【００１３】
図１に示すように、ランデイング(16)と出口具アダプタ(40)間のインターフェイスは、少なくとも１つのガスケット(90)を含むのが好ましい。少なくとも１つのガスケット(90)は、出口具アダプタの内部通路(43)とバルブ本体の内部通路(18)との間で、インタフェイスの周りに配備された縁であるのが好ましい。少なくとも１つのガスケット(90)を受け入れるべく、出口具アダプタ本体(42)は、少なくとも１つのガスケット(90)を捉えるように構成された凹部(92)を含む。更に、ランデイングの表面(30)は、バルブ本体の内部通路(18)を囲む突部(94)を含み、及び／又は凹部(92)はアダプタの内部通路(43)を囲む突部(96)を含む。突部(94)(96)は緊密なシールがインターフェイスに存在することを確実にするように作用する。更に、保持リング(48)が不用意に緩まる危険を減じるべく、カラー(32)は側方のネジ付き開口(102)及び位置決めネジ(104)のようなロック機構(100)を有するが、ロック機構はこれに限定されない。位置決めネジ(104)を締め付けると、位置決めネジ(104)は保持リング(48)に係合し、半径方向の力を加える。
【００１４】
本発明の特定の実施例が詳細に記載されてきたが、これらの詳細な記載の種々の修正及び変形が開示の全体から導出されることが当業者には理解されるだろう。従って、開示された特定の構成は、説明のみの為であって、添付の請求の範囲の全体及びその総ての均等物から付与される本発明の範囲を限定するものではない。
【図面の簡単な説明】
【００１５】
添付の図面に関連付けて読めば、以下の好ましい実施例の記載から発明の十分な理解が得られるだろう。
【図１】バルブアセンブリの部分断面図である。
【図２】バルブアセンブリの断面平面図である。
【図３】他のバルブアセンブリの断面側面図である。
【図４】他のバルブアセンブリの断面側面図である。
【図１】
2009513912.tif 000003
【図２】
2009513912.tif 000004
【図３】
2009513912.tif 000005
【図４】
2009513912.tif 000006
【国際調査報告】
2009513912.tif 000007